(57)【要約】      （修正有）【課題】製造コストを低廉化することが可能なカメラレンズ梱包用緩衝材を提供する。【解決手段】カメラレンズの入光側先端部に嵌合するトップ・パッド１０、およびカメラレンズをカメラに接続するマウント側部位に嵌合するボトム・パッド２０を、それぞれ発泡倍率が３８倍の発泡ポリエチレンを用いて、中央部に円孔状の中空部Ｓａ１，Ｓａ２を有して全体として四角ナット状となるように形成する。その四隅に、五角柱状の突出部１１ａ〜ｄ，２１ａ〜ｄを、トップ・パッド１０およびボトム・パッド２０の厚さ方向にわたって形成する。各突出部１１ａ〜ｄ，２１ａ〜ｄの頂角を形成する２つの面に、トップ・パッド１０およびボトム・パッド２０の厚さ方向にわたって、複数の断面円弧状の溝部を等間隔に設ける。【選択図】図１
0003172811.tif 000002
【実用新案登録請求の範囲】
【請求項１】
四角ナット状に形成されて中央部に円孔状の中空部（Ｓａ１）を有するとともに、四隅にそれぞれ厚さ方向にわたって形成された五角柱状の突出部（１１ａ〜ｄ）であって、前記突出部の頂角を形成する２つの面に前記厚さ方向にわたって複数の所定の断面形状である溝部が等間隔に設けられたものを有する、カメラレンズ（１００）の入光側先端部に嵌合する発泡倍率が５〜100倍の発泡プラスチックからなるトップ・パッド（１０）と、
四角ナット状に形成されて中央部に円孔状の中空部（Ｓａ２）を有するとともに、四隅にそれぞれ厚さ方向にわたって形成された五角柱状の突出部（２１ａ〜ｄ）であって、前記突出部の頂角を形成する２つの面に前記厚さ方向にわたって複数の所定の断面形状である溝部が等間隔に設けられたものを有する、前記カメラレンズ（１００）のマウント側部位に嵌合する発泡倍率が５〜100倍の発泡プラスチックからなるボトム・パッド（２０）とからなるカメラレンズ梱包用緩衝材。
【考案の詳細な説明】
【技術分野】
【０００１】
本考案はカメラレンズ梱包用緩衝材に関する。より詳しくは、本考案は、梱包箱内に収容されて梱包されたカメラレンズを輸送あるいは保管する場合にカメラレンズに加わる衝撃を吸収して緩衝する緩衝材に関するものであって、より低コストで製造することができるカメラレンズ梱包用緩衝材を提供せんとするものである。
【背景技術】
【０００２】
従来より用いられているカメラレンズ梱包用緩衝材の構成例を、図５に示し説明する。ここで、図５は、この従来例の構成を示す斜視図であり、図５（ａ）は、カメラレンズの入光側先端部に嵌合されるトップ・パッドの構成を示し、図５（ｂ）は、カメラレンズをカメラに接続するマウント側部位に嵌合されるボトム・パッドの構成を示している。
【０００３】
図５（ａ）において、カメラレンズの先端部に嵌合されるトップ・パッド３０は、材料に発泡倍率が38倍の発泡ポリエチレンが用いられて、４つの六角柱状の突出部３１ａ〜ｄが相互に連結するようにして形成されるとともに、これら４つの六角柱状の突出部３１ａ〜ｄにより囲まれた部位に、等間隔に４つの半円状の切欠部が設けられた、全体として略円孔状の中空部Ｓｂ１が形成されている。
【０００４】
他方、図５（ｂ）において、カメラレンズのマウント側部位に嵌合されるボトム・パッド４０は、トップ・パッド３０と同じく、材料に発泡倍率が38倍の発泡ポリエチレンが用いられて、中央部に円孔状の中空部Ｓｂ２を有する板状部４２の四隅の下方に、４つの六角柱状の突出部４１ａ〜ｄが形成されている。
【０００５】
そこで、カメラレンズを輸送・保管する場合は、カメラレンズを梱包箱内に収容して梱包する。その場合は、図６（ａ）（部分断面図）に示すように、カメラレンズ１００の先端部をトップ・パッド３０の中空部Ｓｂ１に嵌合し、マウント側部位をボトム・パッド４０の中空部Ｓｂ２に嵌合したうえで、図６（ｂ）（部分断面図）に示すようにして梱包箱５０内に収容する。梱包箱５０は、所定の紙厚のコートボール（白ボール）製である。
【０００６】
下記表１は、図５に示したトップ・パッド３０およびボトム・パッド４０を緩衝材として用いて梱包箱５０内に収容したカメラレンズ１００について行った落下試験の結果を示すものである。試験は、重量が0.304kgであるカメラレンズ１００を収容した梱包箱５０を、60cmの高さから自然落下させることを２回行っている。
【０００７】
【表１】
0003172811.tif 000003
【０００８】
上記表１の最上欄におけるＰ１〜６は、図７（下側から視た斜視図）に示す、落下による衝撃が加わる梱包箱５０の各部位を示している。例えば、Ｐ１は、梱包箱５０の底面であり、Ｐ６は背面である。
【０００９】
また、中欄の数値は、１回目の試験において梱包箱５０の各部位Ｐ１〜６に加わった衝撃値（Ｇ）を示し、最下欄の数値は、２回目の試験において梱包箱５０の各部位Ｐ１〜６に加わった衝撃値を示している。
【００１０】
この種のカメラレンズ１００について許容される最大衝撃値は90Ｇであり、上記表１に示された各衝撃値は、梱包箱５０のいずれの部位Ｐ１〜６においても、許容衝撃値の条件を満たしている。
【考案の概要】
【考案が解決しようとする課題】
【００１１】
しかしながら、図５に示した従来例によると、つぎのような解決すべき課題がある。すなわち、カメラレンズ梱包用緩衝材を構成するトップ・パッド３０およびボトム・パッド４０は、これらを製造するには、トップ・パッド３０およびボトム・パッド４０のそれぞれの形状に対応した金型を具備した成形機により加熱成形する必要がある。
【００１２】
しかし、トップ・パッド３０およびボトム・パッド４０の形状に対応した金型は、これを製作した場合は、極めて高価格なものとなる結果、トップ・パッド３０およびボトム・パッド４０の製造コストが高くなってしまうため、その製造コストの低廉化が望まれていた。
【課題を解決するための手段】
【００１３】
そこで、上記課題を解決するために、本考案はなされたものである。そのために、本考案では、カメラレンズ梱包用緩衝材を構成する、カメラレンズの入光側先端部に嵌合するトップ・パッドおよびカメラレンズのマウント側部位に嵌合するボトム・パッドを、それぞれ所定の発泡倍率の発泡プラスチックを材料に用いて、中央部に円孔状の中空部を有する四角ナット状に形成する。四隅にそれぞれ厚さ方向にわたって五角柱状の突出部を形成し、この突出部の頂角を形成する２つの面に、厚さ方向にわたって複数の所定の断面形状である溝部を等間隔に設ける。以上のような手段を用いるようにした。
【考案の効果】
【００１４】
本考案によるならば、カメラレンズ梱包用緩衝材を構成するトップ・バッドおよびボトム・パッドの各形状が、それぞれ全体として略四角ナット状に形成されていることから、横断面形状は、厚さ方向のどの部位においても同一である。その結果、図５に示した従来例を製造するには、その形状に対応した金型を具備した成形機により加熱成形する必要があるのに対して、本考案によるカメラレンズ梱包用緩衝材は、打抜き型を用いた安価な抜き加工により製造することができる結果、製造コストの低廉化を図ることが可能となる。したがって、本考案によりもたらされる効果、実用上極めて大きい。
【図面の簡単な説明】
【００１５】
【図１】本考案の一実施例の構成を示す斜視図である。
【図２】図１に示したトップ・パッドの側面形状及び平面形状を示す構成図である。
【図３】図１に示したボトム・パッドの側面形状及び平面形状を示す構成図である。
【図４】図１に示したトップ・パッドをカメラレンズの先端部に嵌合し、ボトム・パッドをカメラレンズのマウント側部位に嵌合して梱包する様子を説明するための説明図である。
【図５】従来例の構成を示す斜視図である。
【図６】図５に示したトップ・パッドをカメラレンズの先端部に嵌合し、ボトム・パッドをカメラレンズのマウント側部位に嵌合して梱包する様子を説明するための説明図である。
【図７】図５に示したトップ・パッドを先端部に嵌合し、ボトム・パッドをマウント側部位に嵌合したカメラレンズを収容した梱包箱の、加わる衝撃の測定部位を説明するための説明図である。
【考案を実施するための形態】
【００１６】
本考案によるカメラレンズ梱包用緩衝材は、これを構成するトップ・パッドおよびボトム・パッドを、材料にそれぞれ所定の発泡倍率の発泡プラスチックを材料に用いて、中央部に円孔状の中空部を有する四角ナット状に形成する。四隅にそれぞれ厚さ方向にわたって五角柱状の突出部を形成し、この突出部の頂角を形成する２つの面に、厚さ方向にわたって複数の所定の断面形状の溝部を等間隔に設ける。以下、実施例により詳しく説明する。
【実施例１】
【００１７】
本考案の一実施例の構成を、図１に示し説明する。ここで、図１は、本実施例におけるカメラレンズ梱包用緩衝材の構成を示す斜視図であり、図１（ａ）は、カメラレンズの先端部に嵌合されるトップ・パッドの構成を示し、図１（ｂ）は、カメラレンズのマウント側部位に嵌合されるボトム・パッドの構成を示している。
【００１８】
図１（ａ）において、カメラレンズの先端部に嵌合されるトップ・パッド１０は、中央部に円孔状の中空部Ｓａ１を有して全体として四角ナット状の形状をしており、その四隅には、五角柱状の突出部１１ａ〜ｄが、トップ・パッド１０の厚さ方向にわたって形成されている。用いられている材料は、図５に示した従来例におけるトップ・パッド３０と同じく、発泡倍率が38倍の発泡ポリエチレンである。
【００１９】
また、各突出部１１ａ〜ｄの頂角を形成する２つの面には、トップ・パッド１０の厚さ方向にわたって、複数の断面円弧状の溝部が、等間隔に設けられている。
【００２０】
図２（ａ）は、トップ・パッド１０の側面形状を示す側面図であり、トップ・パッド１０の最大幅Ｗは、本実施例では107mmであり、厚さＴは45mmである。また、図２（ｂ）は、トップ・パッド１０の平面形状を示す平面図であり、トップ・パッド１０に設けられた中空部Ｓａ１の径φは、本実施例では57mmである。
【００２１】
このように構成されたトップ・パッド１０の横断面形状は、図５（ａ）に示した従来例におけるトップ・パッド３０とは異なり、厚さ方向のどの部位においても、図２（ｂ）に示した平面形状と同一である。したがって、図５（ａ）に示したトップ・パッド３０が、その形状に対応した金型を具備した成形機により加熱成形する必要があるのに対して、本考案によるトップ・パッド１０は、打抜き型を用いた抜き加工により製造することができるので、製造コストの低廉化を図ることが可能となる。
【００２２】
他方、図１（ｂ）において、カメラレンズのマウント側部位に嵌合されるボトム・パッド２０は、基本的にはトップ・パッド１０の構成と同じであって、側面形状は、図３（ａ）に示す通りであり、平面形状は、図３（ｂ）に示す通りである。
【００２３】
トップ・パッド１０の構成と異なるところは、厚さＴ（図３（ａ））が、トップ・パッド１０よりは若干薄く、本実施例では40mmであり、中央部に設けられた中空部Ｓａ２の径φが、トップ・パッド１０よりは若干小さく、本実施例では50mmであることである。その他の構成は、トップ・パッド１０の構成と同じである。
【００２４】
このような構成のボトム・パッド２０の横断面形状は、トップ・パッド１０と同じく、厚さ方向のどの部位においても、図３（ｂ）に示す平面形状と同一である。したがって、ボトム・パッド２０も、トップ・パッド１０と同様に、抜き加工により製造することが可能であることから、製造コストの低廉化を実現することができることになる。
【００２５】
以上のような構成のトップ・パッド１０およびボトム・パッド２０を用いて、カメラレンズの輸送・保管のためにカメラレンズを梱包箱内に収容して梱包する場合は、図４（ａ）（部分断面図）に示すように、カメラレンズ１００の先端部をトップ・パッド１０の中空部Ｓａ１に嵌合し、マウント側部位をボトム・パッド２０の中空部Ｓａ２に嵌合したうえで、図４（ｂ）（部分断面図）に示すように、所定の紙厚のコートボール製の梱包箱５０内に収容する。
【００２６】
下記表２は、図１に示したトップ・パッド１０およびボトム・パッド２０を緩衝材として用いて梱包箱５０内に収容したカメラレンズ１００について行った落下試験の結果を示すものである。試験条件および試験回数は、表１に試験結果を示した図５の従来例についての試験と同一であり、最上欄、中欄および最下欄がそれぞれ示すところも、表１と同じである。
【００２７】
【表２】
0003172811.tif 000004
【００２８】
既に述べたように、この種のカメラレンズ１００について許容される最大衝撃値は、90Ｇであり、上記表２に示された各衝撃値は、梱包箱５０のいずれの部位Ｐ１〜６（図７）においても、要求される許容衝撃値の条件を満たしている。
【００２９】
したがって、本考案によるカメラレンズ梱包用緩衝材を用いるならば、製造コストの低廉化の要請に応えつつ、求められる許容衝撃値の条件を充足することができることになる。
【００３０】
以上においては、トップ・パッド１０およびボトム・パッド２０の材料として、発泡倍率が38倍の発泡ポリエチレンを用いる場合を例に挙げて説明したが、本考案は、これに限定されるものではない。材料として発泡倍率が５〜100倍である発泡プラスチックを用いる場合について、本考案は適用され得るものである。
【００３１】
また、トップ・パッド１０およびボトム・パッド２０の各突出部１１ａ〜ｄ，２１ａ〜ｄに設ける溝部が、断面円弧状である場合について説明した。しかし、本考案は、これに限られるものではなく、その他にも、例えば、断面Ｖ字状あるいは断面台形状である場合についても、本考案は適用し得るものである。
【００３２】
さらに、トップ・パッド１０の最大幅が107mm、厚さが45mm、中空部Ｓａ１の径φが57mmであり、ボトム・パッド２０の最大幅が107mm、厚さが40mm、中空部Ｓａ２の径φが50mmである場合について説明した。しかし、トップ・パッド１０およびボトム・パッド２０の最大幅等は、上記のものに限られるものではなく、梱包するカメラレンズ１００の仕様に応じて適宜設計することができるものである。
【符号の説明】
【００３３】
１０  トップ・パッド
１１ａ〜１１ｄ  突出部
２０  ボトム・パッド
２１ａ〜２１ｄ  突出部
３０  トップ・パッド
３１ａ〜３１ｄ  突出部
４０  ボトム・パッド
４１ａ〜４１ｄ  突出部
４２  板状部
５０  梱包箱
１００  カメラレンズ
Ｓａ１，Ｓａ２，Ｓｂ１，Ｓｂ２  中空部
【図１】
0003172811.tif 000005
【図２】
0003172811.tif 000006
【図３】
0003172811.tif 000007
【図４】
0003172811.tif 000008
【図５】
0003172811.tif 000009
【図６】
0003172811.tif 000010
【図７】
0003172811.tif 000011